(57)【要約】【課題】上前身頃の裏面側に雌雄いずれかの係合具を設け、且つ下前身頃の表面側に他方の係合具を設け、左手若しくは右手の不自由な身障者に対して前立部の着脱を容易にし、着脱性や着用感に優れた衣類に関する。【解決手段】左右前身頃の開閉用係合具の操作を片手でできるようにした衣類であって、上前身頃の裏面側に雌雄いずれかの係合具を設け、且つ下前身頃の表面側に他方の係合具を設け、更に左右前身頃のいずれか一方の開閉用係合具近傍に親指を挿通できる指挿入部も設けて開閉用係合具を係合自在としたもので、左手若しくは右手の不自由な身障者に対して前立部の着脱を容易にし、且つ着用感に優れた衣類を提供できるようにしたものである。【選択図】図２
2008002008.tif 000002
【特許請求の範囲】
【請求項１】
左右前身頃の開閉用係合具の操作を片手でできるようにした衣類であって、左右前身頃のいずれか一方の裏面側に雌雄いずれかの一方の係合具を設け、左右前身頃のいずれか他方の表面側にいずれか他方の係合具を取り付けると共に、左右前身頃のいずれか一方の開閉用係合具近傍に親指を挿通できる指挿入部も設けて開閉用係合具を係合容易とさせるように構成したことを特徴とする衣類。
【請求項２】
親指を挿通できる指挿入部がスリット状又は円形又は半円形であることを特徴とする請求項１に記載の衣類。
【請求項３】
左右前身頃に内側に折り返す折り返し部を設け、指挿入部を内側から覆うように構成したことを特徴とする請求項１〜請求項２のいずれかに記載の衣類。
【請求項４】
開閉用係合具の中心から指挿入部端部までの距離が１０〜４０ｍｍであることを特徴とする請求項１〜請求項３のいずれかに記載の衣類。
【請求項５】
上記衣類は肌着上衣、肌着下衣、パジャマ上衣、パジャマ下衣、アウターウェア上衣、アウターウェア下衣であることを特徴とする請求項１〜請求項４に記載の衣類。
【発明の詳細な説明】
【技術分野】
【０００１】
本発明は、上前身頃の裏面側に雌雄いずれかの係合具を設け、且つ下前身頃の表面側に他方の係合具を設け、左手若しくは右手の不自由な身障者に対して前立部の着脱を容易にし、着脱性や着用感に優れた衣類に関する。
【背景技術】
【０００２】
従来、左手若しくは右手の不自由な身障者が着用するパジャマなどの衣類について、着脱自在なボタンの装着手段について、前立部を改良した衣類が、多くみられている。例えば着脱自在なボタン類を前立部に１列若しくは２列状態に設けて左手又は右手いずれかの手でも着脱可能としたものがみられる。
【０００３】
【特許文献１】特開２００２−１７３８１０号公報
【発明の開示】
【発明が解決しようとする課題】
【０００４】
解決しようとする問題点は、前記の如く、例えば着脱自在なボタン類を前立部に１列状態に設けて左手又は右手いずれかの手で着脱しようとする場合、左手又は右手いずれかの手を逆向きにして着脱する必要があり、このような手の動作は、無理な動作になる恐れがあり、あまり好ましいことではないものと思われる。また着脱自在な留め具支持布を前立部から浮かせて取り付けてあるため、着用時に上前立部が浮き上がる等の不具合が生じる。このため外観や着用感が低下する恐れがあり、着用する点で改善すべき点が多くみられるのである。
【課題を解決するための手段】
【０００５】
本発明は、左右前身頃の開閉用係合具の操作を片手でできるようにした衣類であって、左右前身頃のいずれか一方の裏面側に雌雄いずれかの一方の係合具を設け、左右前身頃のいずれか他方の表面側にいずれか他方の係合具を取り付けると共に、左右前身頃のいずれか一方の開閉用係合具近傍に親指を挿通できる指挿入部も設けて開閉用係合具を係合自在としたもので、左手若しくは右手の不自由な身障者に対して前立部の着脱を容易にし、且つ着用感に優れた衣類を提供できるようにしたものである。また健常者においても着用に際し、大変利便性に富んだ構成である。
【発明の効果】
【０００６】
本発明は、前身頃の裏面側に雌雄いずれかの係合具を設け、且つ下前身頃の表面側に他方の係合具を設け、更に左右前身頃のいずれか一方の開閉用係合具近傍に親指を挿通できる指挿入部を設けて開閉用係合具を係合可能にしたもので、左手若しくは右手の不自由な身障者に対して前立部の着脱を容易にし、着脱性や着用感に優れた衣類に関する。
【発明を実施するための最良の形態】
【０００７】
本発明は、上前身頃の裏面側に雌雄いずれかの係合具を設け、且つ下前身頃の表面側に他方の係合具を設け、左手若しくは右手の不自由な身障者に対して前立部の着脱を容易にしたもので、以下図例に基づいて説明する。図１〜図４は実施例１によるパジャマ上衣１を示したもので、左手が不自由な場合、右手だけで着脱可能にした前身頃開放型のパジャマ上衣１を図示したもので、１１は左側前身頃、１２は右側前身頃、１４、１５は夫々左、右の前身頃１１、１２の前立部であり、且つ左側前身頃１１が、右側前身頃１２の上前（上側）に位置するように、即ち左上前となるようにしてある。
【０００８】
１７、１８は夫々開閉用係合具２０、２１を周知の手段で適宜に一体化、固定するための固着用テープ生地で、同生地１７は左側前身頃１１の前立部１４裏面側に適宜に縫着２２してあり、また同生地１８は、右側前身頃１２の前立部１５表面側に適宜に縫着２３してある。尚、前記固着用テープ生地１７、１８には、夫々凹状及び凸状、即ち公知のスナップ・ボタンなどによる雌雄の係合具２０、２１を周知の手段で適宜に一体化、固定してある。
【０００９】
２５、２５・・は、夫々右手の親指３０を挿通可能にした指挿入部で、右側前身頃１２の前立部１５の部位に設けてあり、また同指挿入部２５、２５・・は、夫々各係合具２１、２１・・に近接した位置で、且つ固着用テープ生地１８に隣接した位置に設けてある。更に指挿入部２５は、周知の穴かがり縫いミシンによる縫着２６を介して身丈方向に形成した長孔で、親指３０が十分に挿入可能な大きさとしてある。更に指挿入部２５の位置（部位）について、凸状の係合具２１の中心部から指挿入部２５の端部までの距離（長さ）が、１０〜４０ｍｍの範囲内が最も好適であり、また同範囲以外では、指挿入部２５と係合具２１の距離が短くなり過ぎたり、或いは長すぎたりして指先による係合具の押圧が不十分になり、好ましくないのである。
【００１０】
尚、左右の前立部１４、１５における凹状及び凸状、即ち雌雄の開閉用係合具２０、２１を係合するための係合作業は、図３及び図４の如く、右手２７の親指３０を指挿入部２５内に挿入して雄型（凸状）の係合具２１の裏面側を親指３０で支持し、且つ人差指３１を介して雌型（凹状）の係合具２０を凸状（雄型）の係合具２１側に押圧し、開閉用係合具２０、２１を互いに圧着することにより、係合具２０、２１が確実に係合され、以下同様に複数個の係合具２０、２１を順次係合することにより、左右の前立部１４、１５が確実に係合され、閉じられるのである。
【００１１】
また前記前立部１４、１５が閉じられた状態のパジャマ上衣１を脱ぐ場合は、例えば右手で左側前身頃１１を掴んで引っ張り上げることにより、固着された係合具２０、２１、２０、２１・・の係合が夫々外れて前立部１４、１５が開放され、パジャマ上衣１を脱ぐことができるのである。また凹状及び凸状、即ち雌雄の周知の開閉用係合具２０、２１を介して係合する際、圧着或いは離脱する際の係合作業が容易となるように構成されており、左手が不自由な身障者には、衣類の脱着作業が容易となるように構成されているのである。また健常者においても。
【００１２】
図５〜図８は実施例２によるもので、右手が不自由な場合、左手だけで着脱可能にした前身頃開放型のパジャマ上衣１を図示してあり、且つ実施例１との違いは、指挿入部３５が、左側前身頃１１、即ち前立部１４側に位置している点である。また前記同様に前身頃１１が、右側前身頃１２の上前（上側）に位置するように、即ち左上前となるようにしてある。尚、指挿入部３５は、前記同様に、夫々各係合具２０、２０・・に近接した位置で、且つ固着用テープ生地１７に隣接した位置に設けてある。
【００１３】
また指挿入部３５は、周知の穴かがり縫いミシンによる縫着３６を介して身丈方向に形成された長孔で、親指が十分に挿入可能な大きさとしてある。更に指挿入部３５の位置（部位）について、凹状の係合具２０の中心部から指挿入部３５の端部までの距離（長さ）が、１０〜４０ｍｍの範囲内が最も好適であり、且つ同範囲以外では、指挿入部３５と係合具２０の距離が短くなり過ぎたり、或いは長すぎたりして指先による係合具の押圧が不十分になり、好ましくないのである。
【００１４】
また左右の前立部１４、１５における雌型（凹状）及び雄型（凸状）の開閉用係合具２０、２１を係合するための係合作業は、図７及び図８の如く、左手２８の親指３２を指挿入部３５内に挿入し、且つ雄型（凸状）の係合具２１の裏面側を親指３２で支持し、更に人差指３３を介して雌型（凹状）の係合具２０を雄型（凸状）の係合具２１側に押圧し、同開閉用係合具２０、２１を互いに圧着することにより、係合具２０、２１が確実に係合され、以下同様に複数個の係合具２０、２１を順次係合することにより、左右の前立部１４、１５が確実に係合され、閉じられるのである。また前記前立部１４、１５が閉じられた状態のパジャマ上衣１を脱ぐ場合は、例えば左手で右側前身頃１２を掴んで引っ張り上げることにより、固着された係合具２０、２１、２０、２１・・の係合が夫々外れて前立部１４、１５が開放され、パジャマ上衣１を脱ぐことができるのである。
【００１５】
尚、上記のように左側前身頃１１が、右側前身頃１２の上前（上側）に位置する左上前のパジャマ上衣１において、左側前身頃１１の前立部１４に指挿入部３５、３５・・を設け、右手が不自由な場合でも、左手だけで雌雄の周知の開閉用係合具２０、２１の圧着、離脱、即ち上衣１の着脱を容易に行える利点がある。
【００１６】
図９〜図１１は実施例３によるもので、右手若しくは左手のいずれかが不自由な場合でも左手若しくは右手を自由に使えるようにした前身頃開放型のパジャマ上衣１を図示したものである。また実施例１との違いは、指挿入部３５、２５が、左側前立部１４及び右側前立部１５に夫々位置している点である。尚、前記同様に前身頃１１が、右側前身頃１２の上前（上側）に位置するように、即ち左上前となるようにしてある。
【００１７】
更に左右の前立部１４、１５における雌型（凹状）及び雄型（凸状）の開閉用係合具２０、２１を係合するための係合作業は、前記の図３〜図４及び図７〜図８の如く、右手の親指３０を指挿入部２５内に挿入するか、若しくは左手の親指３２を指挿入部３５内に挿入し、前記同様に人差指３１若しくは人差指３３を介して雌雄の係合具２０、２１を係合することにより、左右の前立部１４、１５が確実に係合され、閉じられるのである。また前記前立部１４、１５が閉じられた状態のパジャマ上衣１を脱ぐ場合は、例えば右手で左側前身頃１１、或いは左手で左側前身頃１１を掴んで引っ張り上げることにより、固着された係合具２０、２１、２０、２１・・の係合が夫々外れて前立部１４、１５が開放され、パジャマ上衣１を脱ぐことができるのである。
【００１８】
尚、上記のように左側前身頃１１が、右側前身頃１２の上前（上側）に位置する左上前のパジャマ上衣１において、指挿入部３５、２５を左側前立部１４及び右側前立部１５の位置に設けたことにより、左手又は右手が不自由な場合でも、右手又は左手だけで雌雄の開閉用係合具２０、２１の圧着、離脱を容易に行うことができ、好適な着用感が得られるのである。  
【００１９】
図１２〜図１５は、実施例４による前身頃開放型のパジャマ上衣５を示したもので、実施例１との相違点は、右側前身頃５０が、左側前身頃５１の上前（上側）に位置するように、即ち右上前となるようにしてあり、且つ指挿入部６２が、左側前立部５５に位置している点で、右手が不自由な場合でも左手を自由に使えるようにしたものである。また右側前身頃５０の前立部５４裏面側には、固着用テープ生地１７を適宜に縫着２２してあり、更に左側前身頃５１の前立部５５表面側には固着用テープ生地１８を適宜に縫着２３してある。更に固着用テープ生地１７、１８には、夫々雌型（凹状）及び雄型（凸状）の開閉用係合具２０、２１を周知の手段で適宜に一体化、固定してある。
【００２０】
また指挿入部６２は、周知の穴かがり縫いミシンによる縫着６６を介して身丈方向に形成した長孔で、親指が十分に挿入可能な大きさとしてある。更に左右の前立部５５、５４における雄型（凸状）及び雌型（凹状）の開閉用係合具２１、２０を係合するための係合作業は、図１４〜図１５の如く、左手２８の親指３２を指挿入部６２内に挿入して雄型（凸状）の開閉用係合具２１を下方から支持し、且つ人差指３３を介して雌型（凹状）の係合具２０を押圧して雌雄の開閉用係合具２１、２０を係合し、このようにして左右の前立部５４、５５が確実に係合され、閉じられるのである。
【００２１】
またパジャマ上衣５を脱ぐ場合は、左手で右側前身頃５０を掴んで引っ張り上げることにより、固着された係合具２０、２１、２０、２１・・の係合が夫々外れて前立部５４、５５が開放され、パジャマ上衣５を脱ぐことができるのである。尚、上記のように右側前身頃５０が、左側前身頃５１の上前（上側）に位置する右上前のパジャマ上衣５において、指挿入部６２を左側前立部５５の位置に設けたことにより、右手が不自由な場合でも、左手だけで雌雄の開閉用係合具２０、２１の圧着、離脱を容易に行うことができ、好適な着用感が得られるのである。
【００２２】
図１６〜図１９は、実施例５による前身頃開放型のパジャマ上衣５を示したもので、実施例４との相違点は、指挿入部６１が、左側前立部５４側に位置している点で、左手が不自由な場合でも右手を自由に使えるようにしたものである。更に左右の前立部５５、５４における雄型（凸状）及び雌型（凹状）の開閉用係合具２１、２０を係合するための係合作業は、図１８〜図１９の如く、右手２７の親指３０を指挿入部６１内に挿入して雄型（凸状）の開閉用係合具２１を下方から支持し、且つ人差指３１を介して雌型（凹状）の係合具２０を押圧して雄型（凸状）及び雌型（凹状）の開閉用係合具２１、２０を係合し、左右の前立部５４、５５が確実に係合され、閉じられるのである。
【００２３】
またパジャマ上衣５を脱ぐ場合は、右手で右手側前身頃５０を掴んで引っ張り上げることにより、固着された係合具２０、２１、２０、２１・・の係合が夫々外れて前立部５４、５５が開放され、パジャマ上衣５を脱ぐことができるのである。尚、上記のように右側前身頃５０が、左側前身頃５１の上前（上側）に位置する右上前のパジャマ上衣５において、指挿入部６１を右側前立部５４の位置に設けたことにより、左手が不自由な場合でも、右手だけで雌雄の開閉用係合具２０、２１の圧着、離脱を容易に行うことができ、好適な着用感が得られるのである。
【００２４】
図２０〜図２２は、実施例６による前身頃開放型のパジャマ上衣５を示したもので、実施例４との相違点は、指挿入部６１、６２が、左側前立部５４及び右側前立部５側に位置している点で、左手又は右手が不自由な場合、右手又は左手を自由に使えるようにしたものである。また左右の前立部５５、５４における雌型（凹状）及び雄型（凸状）の開閉用係合具２０、２１を係合するための係合作業は、前記の図１４〜図１５及び図１８〜図１９の如く、左手２８の親指３２を指挿入部６２内に挿入するか、若しくは右手２７の親指３０を指挿入部６１内に挿入し、前記同様に人差指３３若しくは人差指３１を介して雌雄の係合具２０、２１を係合し、左右の前立部５４、５５が確実に係合され、閉じられるのである。また前記前立部５４、５５が閉じられた状態のパジャマ上衣１を脱ぐ場合は、例えば左手２８で右側前身頃５０を、或いは右手２７で右側前身頃５０を掴んで引っ張り上げることにより、固着された係合具２０、２１、２０、２１・・の係合が夫々外れて前立部５４、５５が開放され、パジャマ上衣１を脱ぐことができるのである。
【００２５】
尚、上記のように右側前身頃５０が、左側前身頃５１の上前（上側）に位置する右上前のパジャマ上衣５において、指挿入部６１、６２を右側前立部５４及び左側前立部５５の位置に設けたことにより、左手又は右手が不自由な場合でも、右手又は左手だけで雌雄の開閉用係合具２０、２１の圧着、離脱を容易に行うことができ、好適な着用感が得られるのである。尚、上記第１〜第６実施例において、左側又は右側の前立部或いは左右の前立部に夫々指挿入部を設けたことにより、健常者においても係合具２０、２１の位置決めが容易となり、着用に際し、大変利便性に富んだ構成である。
【００２６】
図２３は、第１実施例における指挿入部２５の孔を被覆、遮蔽して冬場における衣類内への冷風が入り込むのを防止するようにしたもので、第１実施例の右側前身頃１２において、同前身頃１２の側方端縁部を延長し、且つ同延長部７０を固着用テープ生地１８の裏面側に折り返し、更に指挿入部２５を遮蔽した状態で、同延長部７０の端縁部を前身頃１２側に一体的に重合、縫着７１したもので、７２は袋状部である。尚、右手の親指３０を指挿入部２５内に挿入する際、親指を袋状部７２内に挿入して開閉用係合具２１を支持できるようにしてある。また実施例３においても同様に前身頃１２の側方端縁部を延長して指挿入部２５を遮蔽することができるのである。
【００２７】
また図２４は、同様に第６実施例における指挿入部６２の孔を被覆、遮蔽して冬場における衣類内への冷風が入り込むのを防止するようにしたもので、第６実施例の右側前身頃５１において、同前身頃５１の側方端縁部を延長し、且つ同延長部７５を固着用テープ生地１８の裏面側に折り返し、更に指挿入部６２を遮蔽した状態で、同延長部７５の端縁部を右側前身頃５１の裏面側で重合、縫着７６したもので、７７は袋状部である。尚、左手の親指３２を指挿入部６１内に挿入する際、親指３２を袋状部７７内に挿入して開閉用係合具２１を支持できるようにしてある。また実施例４においても同様に前身頃５１の側方端縁部を延長して指挿入部６２を遮蔽することができるのである。
【００２８】
図２５は、円形状の指挿入部８０を示したもので、例えば実施例４の図１３〜図１４に図示された長孔による指挿入部６２を円形状の穴８０で形成してもよいのである。また図２６の場合は、半円形状の指挿入部８５を示したもので、上記の実施例４の指挿入部６２を同様に図２６の如く、半円形状の穴８５で形成してもよいのである。更に上記指挿入部８０、８５の形成手段としては、例えば周知の穴かがり縫いミシン等による縫着８１、８６を介して円形状或いは半円形状の穴による指挿入部８０、８５を形成するようにしたものである。尚、実施例１〜６において、指挿入部２５、３５、６１、６２における夫々の穴の形状としては、長孔以外に上記の円形状や半円形状など適宜の穴の形状で形成してもよく、更に穴の大きさとしては、親指が十分に挿通可能な大きさであることが好ましいのである。
【産業上の利用可能性】
【００２９】
衣類としては、パジャマ上衣以外に、肌着上衣、肌着下衣、パジャマ下衣、アウターウェア上衣、アウターウェア下衣など各種の広範囲の商品に適用可能であり、更に前立部や袖口などの各部位にも適用することが可能である。
【図面の簡単な説明】
【００３０】
【図１】本発明における第１実施例よるパジャマ上衣の前身側概略正面図である。
【図２】本発明における第１実施例よるパジャマ上衣の左側前立部を折り返し、反転した状態の前身側概略正面図である。
【図３】図２におけるＲ−Ｒ断面による概略断面図である。
【図４】本発明の第１実施例よるパジャマ上衣の前立部において、右手の親指と人差指を介して前立部の係合具を支持、圧着する作動状態を示した一部断面による作動状態説明用概略側面図である。
【図５】本発明における第２実施例よるパジャマ上衣の前身側概略正面図である。
【図６】本発明における第２実施例よるパジャマ上衣の左側前立部を折り返し、反転した状態の前身側概略正面図である。
【図７】図６におけるＳ−Ｓ断面による概略断断面図である。
【図８】本発明の第２実施例よるパジャマ上衣の前立部において、左手の親指と人差指を介して前立部の係合具を支持、圧着する作動状態を示した一部断面による作動状態説明用概略側面図である。
【図９】本発明における第３実施例よるパジャマ上衣の前身側概略正面図である。
【図１０】本発明における第３実施例よるパジャマ上衣の左側前立部を折り返し、反転した状態の前身側概略正面図である。
【図１１】図１０におけるＴ−Ｔ断面による概略断面図である。
【図１２】本発明における第４実施例よるパジャマ上衣の前身側概略正面図である。
【図１３】本発明における第４実施例よるパジャマ上衣の右側前立部を折り返し、反転した状態の前身側概略正面図である。
【図１４】図１３におけるＸ−Ｘ断面による概略断面図である。
【図１５】本発明の第４実施例よるパジャマ上衣の前立部において、左手の親指と人差指を介して前立部の係合具を支持、圧着する作動状態を示した一部断面による作動状態説明用概略側面図である。
【図１６】本発明における第５実施例よるパジャマ上衣の前身側概略正面図である。
【図１７】本発明における第５実施例よるパジャマ上衣の右側前立部を折り返し、反転した状態の前身側概略正面図である。
【図１８】図１７におけるＹ−Ｙ断面による概略断面図である。
【図１９】本発明の第５実施例よるパジャマ上衣の前立部において、右手の親指と人差指を介して前立部の係合具を支持、圧着する作動状態を示した一部断面による作動状態説明用概略側面図である。
【図２０】本発明における第６実施例よるパジャマ上衣の前身側概略正面図である。
【図２１】本発明における第６実施例よるパジャマ上衣の右側前立部を折り返し、反転した状態の前身側概略正面図である。
【図２２】図２１におけるＺ−Ｚ断面による概略断面図である。
【図２３】本発明の第１実施例よるパジャマ上衣の前立部において、下側前立部の側縁端部を延長、折返して指挿入部の孔を被覆、遮蔽するようにした前立部の概略断面図である。
【図２４】本発明の第６実施例よるパジャマ上衣の前立部において、下側前立部の側縁端部を延長、折返して指挿入部の孔を被覆、遮蔽するようにした前立部の概略断面図である。
【図２５】本発明の指挿入部による応用例として、円形状の指挿入部を図示した前立部の一部切り欠けによる概略正面図である。
【図２６】本発明の指挿入部による他の応用例として、半円形状の指挿入部を図示した前立部の一部切り欠けによる概略正面図である。
【符号の説明】
【００３１】
１１    左側前身頃  
１２    右側前身頃
１４    前立部  
１５    前立部  
１７    固着用テープ生地
１８    固着用テープ生地  
１５    前立部  
１２    右側前身頃
２０    開閉用係合具      
２１    開閉用係合具
【図１】
2008002008.tif 000003
【図２】
2008002008.tif 000004
【図３】
2008002008.tif 000005
【図４】
2008002008.tif 000006
【図５】
2008002008.tif 000007
【図６】
2008002008.tif 000008
【図７】
2008002008.tif 000009
【図８】
2008002008.tif 000010
【図９】
2008002008.tif 000011
【図１０】
2008002008.tif 000012
【図１１】
2008002008.tif 000013
【図１２】
2008002008.tif 000014
【図１３】
2008002008.tif 000015
【図１４】
2008002008.tif 000016
【図１５】
2008002008.tif 000017
【図１６】
2008002008.tif 000018
【図１７】
2008002008.tif 000019
【図１８】
2008002008.tif 000020
【図１９】
2008002008.tif 000021
【図２０】
2008002008.tif 000022
【図２１】
2008002008.tif 000023
【図２２】
2008002008.tif 000024
【図２３】
2008002008.tif 000025
【図２４】
2008002008.tif 000026
【図２５】
2008002008.tif 000027
【図２６】
2008002008.tif 000028